(57)【要約】【課題】  ファンを組合せることができる定位機能を具えたフレーム構造を提供する。【解決手段】  主に接続部２３１および接合部２３２を備え、接続部２３１へ上下に貫通された貫通空間２３１ａを設け、接続部２３１はその上側がファン２１に接続され、その下側には放熱器２２が設けられる。そして、接続部２３１には固定孔２３１ｂが設けられ、固定孔２３１ｂには固定要素２３１ｃが提供されて接続部２３１と放熱器２２とを組合わせる。接合部２３２は上下に貫通された接合孔２３２ａを有し、接合孔２３２ａは定位機構２３３に組合され、接合部２３２はその一側面が接続部２３１に接続され、もう一つの側面は定位機構２３３によりマザーボード２５と組合され、それらの構造によりスピーディーな定位と便利な組立て効果を達成する。【選択図】  図４
2006032816.tif 000002
【特許請求の範囲】
【請求項１】
主に接続部および接合部を備え、前記接続部は上下に貫通された貫通空間を備え、前記接続部はその上側がファンに接続され、その下側には放熱器が設けられ、前記接続部には固定孔が設けられ、前記固定孔には固定要素が提供されて接続部と放熱器とを組合わせ、前記接合部は上下に貫通した接合孔を有し、前記接合孔は定位機構に組合され、前記接合部はその一側面が接続部に接続され、もう一つの側面は定位機構によりマザーボードと組合され、それらの構造によりスピーディーな定位と便利な組立て効果を達成することを特徴とする定位機能を具えたフレーム構造。
【請求項２】
前記接合孔は透孔であることを特徴とする請求項１記載の定位機能を具えたフレーム構造。
【請求項３】
前記接合孔はネジ孔であることを特徴とする請求項１記載の定位機能を具えたフレーム構造。
【請求項４】
前記定位機構は固定要素および弾性要素を備えることを特徴とする請求項１記載の定位機能を具えたフレーム構造。
【請求項５】
前記定位機構は作動部および被駆動部を備えることを特徴とする請求項１記載の定位機能を具えたフレーム構造。
【請求項６】
前記接続部上に少なくとも一つの掛部を設け、ファンを前記掛部へ圧入することにより、前記ファンの掛着と前記ファンの振動防止の効果を達成することを特徴とする請求項１記載の定位機能を具えたフレーム構造。
【請求項７】
前記接続部上に少なくとも一つの定位板を設け、ファンを前記定位板へ圧入することにより、前記ファンの定位と前記ファンの振動防止の効果を達成することを特徴とする請求項１記載の定位機能を具えたフレーム構造。
【請求項８】
主に接続部および接合部を備え、前記接続部は上下に貫通された貫通空間を備え、前記接続部はその上側がファンに接続され、その下側には放熱器が設けられ、前記接合部には上下に貫通された接合孔が設けられ、前記接合孔は定位機構に組合され、前記接合部はその一側面が接続部に接続され、もう一つの側面は定位機構によりマザーボードと組合され、それらの構造によりスピーディーな定位と便利な組立て効果を達成することを特徴とする定位機能を具えたフレーム構造。
【請求項９】
前記接合孔は透孔であることを特徴とする請求項８記載の定位機能を具えたフレーム構造。
【請求項１０】
前記接合孔はネジ孔であることを特徴とする請求項８記載の定位機能を具えたフレーム構造。
【請求項１１】
前記定位機構は固定要素および弾性要素を備えることを特徴とする請求項８記載の定位機能を具えたフレーム構造。
【請求項１２】
前記定位機構は作動部および被駆動部を備えることを特徴とする請求項８記載の定位機能を具えたフレーム構造。
【請求項１３】
前記接続部上に少なくとも一つの掛部を設け、ファンを前記掛部へ圧入することにより、前記ファンの掛着と前記ファンの振動防止の効果を達成することを特徴とする請求項８記載の定位機能を具えたフレーム構造。
【請求項１４】
前記接続部上に少なくとも一つの定位板を設け、ファンを前記定位板へ圧入することにより、前記ファンの定位と前記ファンの振動防止の効果を達成することを特徴とする請求項８記載の定位機能を具えたフレーム構造。
【請求項１５】
主に接続部および接合部を備え、前記接続部は上下に貫通された貫通空間を備え、前記接続部はその上側がファンに接続され、その下側には放熱器が設けられ、前記接合部はその一側面が接続部に接続され、もう一つの側面はマザーボードと組合され、それらの構造によりスピーディーな定位と便利な組立て効果を達成することを特徴とする定位機能を具えたフレーム構造。
【請求項１６】
前記接続部上に少なくとも一つの掛部を設け、ファンを前記掛部へ圧入することにより、前記ファンの掛着と前記ファンの振動防止の効果を達成することを特徴とする請求項１５記載の定位機能を具えたフレーム構造。
【請求項１７】
前記接続部上に少なくとも一つの定位板を設け、ファンを前記定位板へ圧入することにより、前記ファンの定位と前記ファンの振動防止の効果を達成することを特徴とする請求項１５記載の定位機能を具えたフレーム構造。
【発明の詳細な説明】
【技術分野】
【０００１】
本発明は定位機能を具えたフレーム構造に関し、主にＣＰＵの定位構造に関し、特にファンを組合せることができる定位機能を具えたフレーム構造に関する。
【背景技術】
【０００２】
図１は従来技術のフレーム構造１３を示し、図が示すようにそれはフレーム体１３１および定位機構１３２を備え、フレーム体１３１の中央箇所はＣＰＵ１４と接触して、ＣＰＵ１４が動作中に発生する熱をフレーム体１３１に接合された放熱器１２上へ伝導し、フレーム体１３１と放熱器１２との接合方式は、溶接、接着または掛合の方式による。定位機構１３２は作動部１３２ａおよび被駆動部１３２ｂを備え、作動部１３２ａを被駆動部１３２ｂの内部へ挿入接続し、作動部１３２ａが下向きに押されると、被駆動部１３２ｂの下側に設けられた掛部１３２ｃは、作動部１３２ａが下向きに押されることにより外側に開くため、掛部１３２ｃが外向きに開いてマザーボードに掛着されて組合せ機能を達成することができる。作動部１３２ａを上向きに元の状態に回復すると、被駆動部１３２ｂの掛部１３２ｃは作動部１３２ａを上向きに元の状態に回復させる。詳しく述べると、定位機構１３２が孔内に入ってその掛部１３２ｃを拡張させる原理の運用により掛着の効果を達成するため、定位機構１３２をマザーボード１５のＣＰＵ固定ベース１４２近くに設けた接合孔１５１に貫通させ、前述の掛着原理を利用してフレーム体１３１をマザーボード１５上へ組立てて、フレーム体１３１の中央箇所をチップ１４１上のＣＰＵ１４に接触させる。
【０００３】
図１および図２に示すように、放熱器１２の上部にはファン１１が設けられ、ファン１１が運転されると、発生した気流が放熱器１２を通ってフレーム構造１３に達し、放熱の効果を達成する。
【０００４】
しかし、この従来のフレーム構造１３には以下のような欠点があった。
（１）従来技術のフレーム構造１３を製造する際に高価な成型コストが必要である。
（２）ファン１１と放熱器１２とを従来のフレーム構造１３に組立てる時、加工工程に一つ以上の加工工程を加えなければならないため、組立てが非常に不便である。
（３）ファン１１および放熱器１２を従来技術のフレーム構造１３に組立てる時、その組立て方式は全て固定方式によるため、部品を交換する際に不便である。
（４）ファン１１を放熱器１２上に固定する時、放熱器１２上に凹部１２１を更に設けて、ファン１１の電線１１１を凹部１２１からスムーズに引き出す必要がある。
（５）図３に示すように、フレーム構造１３のフレーム体１３１が放熱器１２の下方に設置されるため、ファン１１により下向きに吹きつけられた気流はフレーム体１３１の上方に反圧現象が発生し、放熱効果が大幅に低下する。
【発明の開示】
【発明が解決しようとする課題】
【０００５】
本発明の第１の目的は、組立てが便利なフレーム構造を提供することにある。
本発明の第２の目的は、コストを下げるフレーム構造を提供することにある。
本発明の第３の目的は、スピーディーに定位させることができるフレーム構造を提供することにある。
本発明の第４の目的は、気流反圧が発生することを防止することができるフレーム構造を提供することにある。
【課題を解決するための手段】
【０００６】
本発明の定位機能を具えたフレーム構造は、主に接続部および接合部を備え、接続部は上下に貫通された貫通空間を備え、接続部はその上側がファンに接続され、その下側には放熱器が設けられ、接続部には固定孔が設けられ、固定孔には固定要素が提供されて接続部と放熱器とを組合わせ、接合部は上下に貫通した接合孔を有し、接合孔は定位機構に組合され、接合部はその一側面が接続部に接続され、もう一つの側面は定位機構によりマザーボードと組合され、それらの構造によりスピーディーな定位と便利な組立て効果を達成する。
【発明の効果】
【０００７】
上述したように、本発明はフレーム構造を提供し、組立ての利便性を高め、コストを下げ、スピーディーに定位させて、気流反圧が発生することを防止することができる。
【発明を実施するための最良の形態】
【０００８】
本発明の上述の目的およびその構造と機能の特性を、添付した図面の好適な実施例により説明する。
【０００９】
本発明は定位機能を具えたフレーム構造を提供する。図４および図５の好適な第１実施例が示すように、フレーム構造２３を放熱器２２上に設けるため、全体の外観は略環状となる。それは主に接続部２３１および接合部２３２を備え、接続部２３１には上下に貫通された貫通空間２３１ａが設けられ、接続部２３１上側には定位ピン２３４が設けられ、定位ピン２３４はファン２１上に設けられた受接孔２１１に接続され、接続部２３１上には他に固定孔２３１ｂが設けられ、固定孔２３１ｂが接続部２３１に提供されて接続部２３１と放熱器２２とを組合せ、接続部２３１の下側と放熱器２２とを緊密に密着させる。
【００１０】
接合部２３２は上下に貫通された接合孔２３２ａを備えて定位機構２３３との組合せに使用され、接合孔２３２ａは好適な本実施例においては透孔が例にされているが、当然、ネジ孔またはその他の定位機構２３３と組合せる形態でもよい。定位機構２３３は固定要素２３３ａおよび弾性要素２３３ｂを備え、当然、定位機構は別の実施形態でもよい。例えば従来技術で示されたように、定位機構１３２が備える作動部１３２ａおよび被駆動部１３２ｂでもよい。接合部２３２の一側面は接続部２３１に接続され、もう一つの側面は定位機構２３３およびマザーボード２５に接続される。そして、その組合せ方式は固定要素２３３ａを弾性要素２３３ｂに貫通させてから、ＣＰＵ固定ベース２４２近くに設けた接合孔２５１内に固定し、放熱器２２と作動チップ２４１上のＣＰＵ２４とを接合してスピーディーな定位と便利な組立てという効果を達成することができる。
【００１１】
また、前述の接続部２３１上に少なくとも一つの掛部２３１ｄを設けて、ファン２１を掛部２３１ｄへ圧入することにより、ファン２１の掛着とファン２１の振動防止の効果を達成する。
【００１２】
図６および図７は本発明の好適な第２実施例を示し、フレーム構造２７は多辺形の放熱器２８上に実施されるため、外観は多辺フレーム体を呈し、それは主に接続部２７１および接合部２７２を備え、接続部２７１には上下に貫通された貫通空間２７１ａが設けられ、接続部２７１上側には定位ピン２７４が設けられ、定位ピン２７４はファン２６上に設けられた受接孔２６１に接続され、接続部２７１上には他に固定孔２７１ｂが設けられ、固定孔２７１ｂは固定要素２７１ｃを提供して接続部２７１と放熱器２８とを接続して、接続部２７１下側と放熱器２８とを緊密に密着させる。接合部２７２に設けられた上下に貫通した接合孔２７２ａは、定位機構２７３と組立てられ、接合孔２７２ａは好適な実施例においては透孔が例にされるが、当然それはネジ孔或いは定位機構２７３と組立てることができるその他の形態でもよく、定位機構２７３は固定要素２７３ａおよび弾性要素２７３ｂを備え、当然定位機構は別の実施形態でもよく、例えば従来技術で示された定位機構１３２が備える作動部１３２ａおよび被駆動部１３２ｂでもよい。接合部２７２の一側面は接続部２７１に接続され、もう一つの側面は定位機構２７３およびマザーボード２５に接続される。そして、その組合せ方式は固定要素２７３ａを弾性要素２７３ｂに貫通させてから、ＣＰＵ固定ベース２４２近くに設けた接合孔２５１内に固定し、放熱器２８と作動チップ２４１上のＣＰＵ２４とを接合することにより、素早い定位と便利な組立てという効果を達成する。
【００１３】
また、前述の接続部２７１上に少なくとも一つの掛部２７１ｄを設けて、ファン２６を掛部２７１ｄへ圧入することにより、ファン２６の掛着とファン２６の振動防止の効果を達成することができる。また、接続部２７１上に他に少なくとも一つの定位板２７１ｅを設け、ファン２６を定位板２７１ｅへ圧入することによりファン２６の定位とファン２６の振動防止の効果を達成することができる。
【００１４】
図８および図９は、本発明の好適な第１及び第２実施例を示す側面断面図であり、それらの図が示すように、放熱器２２、２８の下方は如何なる物体にも阻害されないため、ファン２１、２６により発生された気流が直接に放熱器２２、２８によりＣＰＵ２４、作動チップ２４１、ＣＰＵ固定ベース２４２およびマザーボード２５に吹き付けられてから外に排出されるため、従来技術と較べて機能が明らかに増進する。
【００１５】
上で述べたものは、単なる本発明の好適な実施例であり、本発明の上述した方法、形状、構造および装置を変化させたものも、全て本発明の特許請求範囲に含まれるべきである。
【図面の簡単な説明】
【００１６】
【図１】従来技術によるフレーム構造の分解斜視図である。
【図２】従来技術によるフレーム構造の組立斜視図である。
【図３】従来技術によるフレーム構造を示す側面断面図である。
【図４】本発明の好適な第１実施例を示す分解斜視図である。
【図５】本発明の好適な第１実施例を示す組立斜視図である。
【図６】本発明の好適な第２実施例を示す分解斜視図である。
【図７】本発明の好適な第２実施例を示す組立斜視図である。
【図８】本発明の好適な第１実施例を示す側面断面図である。
【図９】本発明の好適な第２実施例を示す側面断面図である。
【符号の説明】
【００１７】
１１…ファン
１１１…電線
１２…放熱器
１２１…凹部
１３…フレーム構造
１３１…フレーム体
１３２…定位機構
１３２ａ…作動部
１３２ｂ…被駆動部
１３２ｃ…掛部
１４…ＣＰＵ
１４１…作動チップ
１４２…ＣＰＵ固定ベース
１５…マザーボード
１５１…接合孔
２１…ファン
２１１…受接孔
２２…放熱器
２３…フレーム構造
２３１…接続部
２３１ａ…貫通空間
２３１ｂ…固定孔
２３１ｃ…固定要素
２３１ｄ…掛部
２３２…接合部
２３２ａ…接合孔
２３３…定位機構
２３３ａ…固定要素
２３３ｂ…弾性要素
２３４…定位ピン
２４…ＣＰＵ
２４１…作動チップ
２４２…ＣＰＵ固定ベース
２５…マザーボード
２５１…接合孔
２６…ファン
２６１…受接孔
２７…フレーム構造
２７１…接続部
２７１ａ…貫通空間
２７１ｂ…固定孔
２７１ｃ…固定要素
２７１ｄ…掛部
２７１ｅ…定位板
２７２…接合部
２７２ａ…接合孔
２７３…定位機構
２７３ａ…固定要素
２７３ｂ…弾性要素
２７４…定位ピン
２８…放熱器
【図１】
2006032816.tif 000003
【図２】
2006032816.tif 000004
【図３】
2006032816.tif 000005
【図４】
2006032816.tif 000006
【図５】
2006032816.tif 000007
【図６】
2006032816.tif 000008
【図７】
2006032816.tif 000009
【図８】
2006032816.tif 000010
【図９】
2006032816.tif 000011